(57)【要約】      （修正有）【課題】ロック機構の解除操作が不要で、かつ、容器内から針ユニットが零れ出るおそれのないペン型注射器の針ユニットの廃棄用容器を提供する。【解決手段】スライダ６には挿入位置において保持部５１に向って、かつ、斜め下方に向って突出し、挿入位置において保持部５１にハブを押し付ける爪６１が設けられ、装着部５には挿入孔５０に連なると共に挿入孔５０の接線方向Ｔに延び挿入孔５０内に突出していた爪６１が挿入孔５０から退避するのを許容する第１溝Ｇ１が形成され、装着部５には、第１溝Ｇ１に平行に延び第１溝Ｇ１と協働してスライダ６の摺動を案内する第２溝Ｇ２が形成され、スライダ６には挿入位置において挿入孔５０が開いた状態となるようにする貫通部６０と、閉塞位置において挿入孔５０が閉塞された状態となるようにする閉塞部６２とが設けられている。【選択図】図６
2019217178.tif 000002
【特許請求の範囲】
【請求項１】
カヌラ２５と当該カヌラ２５の一部を囲繞するハブ２６とを有する針ユニット２７がネジにより本体ケース３０に着脱され、患者が自分で薬液を投与するのに適したペン型注射器の前記針ユニット２７の廃棄用容器１において、前記容器１は、
前記針ユニット２７を収容する収容部１２と、
前記収容部１２の上部に配置された蓋部１０と、
前記蓋部１０に形成された装着部５と、
前記装着部５に形成され前記針ユニット２７を前記収容部１２内に向って挿入する円形状の挿入孔５０と、
前記挿入孔５０が開放され前記針ユニット２７を前記挿入孔５０に挿入する挿入位置Ｐ１と、前記挿入孔５０を閉塞した閉塞位置Ｐ２との間を摺動自在に移動されるように前記装着部５に装着されたスライダ６とを備え、
前記挿入孔５０は軸線Ｓが上下に延びる半円環状の保持部５１で形成され、
前記スライダ６には前記挿入位置Ｐ１において前記保持部５１に向って、かつ、斜め下方に向って突出し、前記挿入位置Ｐ１において前記保持部５１に前記ハブ２６を押し付ける爪６１が設けられ、
前記装着部５には前記挿入孔５０に連なると共に前記挿入孔５０の接線方向Ｔに延び前記挿入孔５０内に突出していた前記爪６１が前記挿入孔５０から退避するのを許容する第１溝Ｇ１が形成され、
前記装着部５には、前記第１溝Ｇ１に平行に延び前記第１溝Ｇ１と協働して前記スライダ６の摺動を案内する第２溝Ｇ２が形成され、
前記スライダ６には前記挿入位置Ｐ１において前記挿入孔５０が開いた状態となるようにする貫通部６０と、前記閉塞位置Ｐ２において前記挿入孔５０が閉塞された状態となるようにする閉塞部６２とが設けられている、容器１。
【請求項２】
請求項１において、
前記保持部５１に向って突出する前記爪６１は、樹脂弾性により、前記ハブ２６を前記保持部５１に押し付ける板バネ状に形成され、
無負荷時における前記保持部５１に対する前記爪６１の先端の位置を前記ハブ２６が前記挿入孔５０から落下しないように設定したことを特徴とする、容器１。
【請求項３】
請求項２において、
前記保持部５１の内周面には前記ハブ２６の外周面に係合する１つ又は２つ以上の係合突起５２が設けられている、容器１。
【請求項４】
請求項１において、
前記挿入位置Ｐ１において前記スライダ６の当接部６３が装着部５に当接し、
前記挿入位置Ｐ１において、前記本体ケース３０から前記針ユニット２７を取り外すために前記本体ケース３０を回転させた際に、前記ハブ２６から前記爪６１に伝達される前記接線方向Ｔの力で前記スライダ６が前記挿入位置Ｐ１から移動しないように前記スライダ６の当接部６３が前記装着部５に当接した状態を維持するように設定されている、容器１。
【請求項５】
請求項１〜４のいずれか１項において、
前記第１および第２溝Ｇ１，Ｇ２は、前記装着部５を上下に貫通する貫通溝である、容器１。
【請求項６】
請求項１〜５のいずれか１項において、
前記挿入位置Ｐ１において、前記スライダ６は前記蓋部１０から外に突出してハミ出している、容器１。
【請求項７】
請求項１〜６のいずれか１項において、
前記貫通部６０は前記挿入孔５０よりも大きい、容器１。
【請求項８】
請求項１〜７のいずれか１項において、前記挿入孔５０は前記蓋部１０に設けられた廃棄用の唯一の孔である、容器１。
【発明の詳細な説明】
【技術分野】
【０００１】
本発明はペン型注射器の針ユニットの廃棄用容器に関するものである。
【背景技術】
【０００２】
従来より、たとえば、インスリンや成長ホルモンを患者が自分で注射する（自己注射）するためのペン型注射器が提案されている（特許文献参照）。
前記患者が自己注射を行えるようになるまで、看護師が前記ペン型注射器を用いて患者に注射方法を教えている。かかる場合には、前記注射を行った後、衛生上の観点から、１回の注射ごとにペン型注射器の針ユニットの交換を看護師が行っている。使用済の針ユニットは、医療廃棄物用の容器に廃棄される（特許文献参照）。
【先行技術文献】
【特許文献】
【０００３】
【特許文献１】ＪＰ２０１３−１６９２９０  Ａ（フロントページ）
【特許文献２】ＪＰ２００９−２１９８３３  Ａ（フロントページ）
【特許文献３】ＪＰ２０１６−２０９１８４  Ａ（フロントページ）
【特許文献４】ＷＯ２０１０−１２２６８３（フロントページ）
【０００４】
前記特許文献４には、針ユニットをペン型注射器の本体ケースから離脱させ、当該針ユニットを容器内に落下させる技術が開示されている。
【０００５】
すなわち、同文献４の発明では、まず、前記針ユニットを挿入孔に挿入し、第１および第２保持部により前記針ユニットの回転を規制した状態で前記本体ケースを回転させ、保持部を開いて前記挿入孔から針ユニットを落下させる。
【発明の概要】
【０００６】
しかし、前記文献４の発明では、第２保持部をスライドさせる前に、第２保持部と一体の移動部材を保持位置に保持させるロック機構を解除する必要がある。かかる解除操作は自己注射する患者の負担となる。特に、患者が高齢である場合、その負担が大きい。
【０００７】
また、第２保持部をスライドさせた後に、挿入孔が大きく開いた解除位置において、誤って容器を倒したりすると、容器内の多量の針ユニットの一部が零れ出るおそれがある。
【０００８】
したがって、本発明の目的は、ロック機構の解除操作が不要で、かつ、容器内から針ユニットが零れ出るおそれのないペン型注射器の針ユニットの廃棄用容器を提供することである。
【０００９】
本発明はカヌラ２５と当該カヌラ２５の一部を囲繞するハブ２６とを有する針ユニット２７がネジにより本体ケース３０に着脱され、患者が自分で薬液を投与するのに適したペン型注射器の前記針ユニット２７の廃棄用容器１において、前記容器１は、
前記針ユニット２７を収容する収容部１２と、
前記収容部１２の上部に配置された蓋部１０と、
前記蓋部１０に形成された装着部５と、
前記装着部５に形成され前記針ユニット２７を前記収容部１２内に向って挿入する円形状の挿入孔５０と、
前記挿入孔５０が開放され前記針ユニット２７を前記挿入孔５０に挿入する挿入位置Ｐ１と、前記挿入孔５０を閉塞した閉塞位置Ｐ２との間を摺動自在に移動されるように前記装着部５に装着されたスライダ６とを備え、
前記挿入孔５０は軸線Ｓが上下に延びる半円環状の保持部５１で形成され、
前記スライダ６には前記挿入位置Ｐ１において前記保持部５１に向って、かつ、斜め下方に向って突出し、前記挿入位置Ｐ１において前記保持部５１に前記ハブ２６を押し付ける爪６１が設けられ、
前記装着部５には前記挿入孔５０に連なると共に前記挿入孔５０の接線方向Ｔに延び前記挿入孔５０内に突出していた前記爪６１が前記挿入孔５０から退避するのを許容する第１溝Ｇ１が形成され、
前記装着部５には、前記第１溝Ｇ１に平行に延び前記第１溝Ｇ１と協働して前記スライダ６の摺動を案内する第２溝Ｇ２が形成され、
前記スライダ６には前記挿入位置Ｐ１において前記挿入孔５０が開いた状態となるようにする貫通部６０と、前記閉塞位置Ｐ２において前記挿入孔５０が閉塞された状態となるようにする閉塞部６２とが設けられている。
【００１０】
本発明においては、装着部５に装着されたスライダ６が第１および第２溝に案内され摺動するのであるが、第１溝Ｇ１が挿入孔５０の接線方向Ｔに延び、第２溝Ｇ２が第１溝Ｇ１に平行に延びる。そのため、スライダ６は挿入孔５０の径方向ではなく接線方向Ｔにスライド移動するので、針ユニット２７に対し本体ケース３０を回転させても挿入孔５０が大きく開くことがない。したがって、ロック機構を設ける必要がなく、ロック解除操作を行う必要がない。
【００１１】
また、スライダ６を挿入孔５０の径方向に開くのではなく、挿入孔５０の接線方向Ｔに移動させるので、スライダ６を移動する前後のいずれの時においても、挿入孔５０が針ユニット２７のバブ２６の径よりも大きく開くおそれがない。したがって、容器１から針ユニット２７が零れ出るおそれがない。
【図面の簡単な説明】
【００１２】
【図１】本発明にかかる容器の一実施例を示す分解斜視図である。
【図２】同容器の用い方を示す斜視図である。
【図３】同容器の用い方を示す斜視図である。
【図４】同容器の用い方を示す斜視図である。
【図５】アタッチメント及びスライダを示す斜視図である。
【図６】アタッチメント及びスライダを示す分解斜視図である。
【図７】容器の上部を接線方向に直交する断面で断面した縦断面図である。
【図８】容器の上部を接線方向に沿った断面で断面した縦断面図である。
【図９】アタッチメント及びスライダ単体の平面図および断面図である。
【図１０】スライダをアタッチメントに取り付けた状態の平面図および底面図である。
【００１３】
図５、図６、図９および図１０においてアタッチメント及びスライダはグレーで着色されている。
図７および図８においてアタッチメントの断面はグレーで着色されている。
【発明を実施するための形態】
【００１４】
好ましくは、前記保持部５１に向って突出する前記爪６１は、樹脂弾性により、前記ハブ２６を前記保持部５１に押し付ける板バネ状に形成され、
無負荷時における前記保持部５１に対する前記爪６１の先端の位置を前記ハブ２６が前記挿入孔５０から落下しないように設定したことを特徴とする。
【００１５】
この場合、無負荷時の挿入位置Ｐ１において、針ユニット２７が挿入孔５０から落下しないように、板バネ状の爪６１が保持部５１に向って突出しており、そのため、前記挿入位置Ｐ１において容器１内の針ユニット２７が容器１から零れ出るのを確実に防止することができる。
【００１６】
一方、板バネ状の爪６１が保持部５１との間で針ユニット２７保持することにより、本体ケース３０を回転させて、針ユニット２７から本体ケース３０を抜き取ることができる。
【００１７】
更に好ましくは、前記保持部５１の内周面には前記ハブ２６の外周面に係合する１つ又は２つ以上の係合突起５２が設けられている。
この場合、バブ２６の外周面に保持部５１の係合突起５２が係合して、針ユニット２７を保持部５１と爪６１との間に保持し易くなる。
【００１８】
好ましくは、前記挿入位置Ｐ１において前記スライダ６の当接部６３が装着部５に当接し、
前記挿入位置Ｐ１において、前記本体ケース３０から前記針ユニット２７を取り外すために前記本体ケース３０を回転させた際に、前記ハブ２６から前記爪６１に伝達される前記接線方向Ｔの力で前記スライダ６が前記挿入位置Ｐ１から移動しないように前記スライダ６の当接部６３が前記装着部５に当接した状態を維持するように設定されている。
【００１９】
この場合、スライダ６の当接部６３が装着部５に当接しており、そのため、本体ケース３０を回転させても挿入位置Ｐ１のスライダ６は装着部５に当接した状態を維持する。したがって、本体ケース３０を針ユニット２７から抜き取る操作を行い易い。
【００２０】
好ましくは、前記第１および第２溝Ｇ１，Ｇ２は、前記装着部５を上下に貫通する貫通溝である。
【００２１】
この場合、スライダ６が装着部５にスライド移動自在な構造を実現し易い。
【００２２】
好ましくは、前記挿入位置Ｐ１において、前記スライダ６は前記蓋部１０から外に突出してハミ出している。
【００２３】
この場合、容器１の外径を小さくでき、容器１を携帯し易い。
また、挿入位置Ｐ１において蓋部１０から外に突出したスライダ６を指で押す操作を行い易い。
【００２４】
好ましくは、前記貫通部６０は前記挿入孔５０よりも大きい。
この場合、挿入位置Ｐ１においてスライダ６が邪魔にならない。
【００２５】
好ましくは、前記挿入孔５０は前記蓋部１０に設けられた廃棄用の唯一の孔である。
【００２６】
挿入孔５０が唯一の孔である場合、容器外へ針ユニット２７が飛び出し難い。
【実施例】
【００２７】
以下、本発明の一実施例を図面にしたがって説明する。
【００２８】
廃棄用の容器を説明するに先立ち、まず、自己注射に用いるための周知のペン型注射器の一例について説明する。
【００２９】
図３および図４に示すように、ペン型注射器は、本体ケース３０と針ユニット２７からなる。針ユニット２７は、カヌラ２５と当該カヌラ２５の一部を囲繞するハブ２６とを有する。ハブ２６は本体ケース３０の先端部の雄ネジ３１により着脱される。
【００３０】
前記ペン型注射器を用いて医薬品の投与を行うには、投与量を該ペン型注射器に設定した後、カヌラ２５を患者の体に挿入して、該ペン型注射器内に予め投入された医薬品を患者の体内に投与する。
【００３１】
前記注射を行う毎に、針ユニット２７を本体ケース３０から取り外し、注射を行う度に新たな針ユニット２７を本体ケース３０に装着する。
なお、ペン型注射器の詳しい構造はＪＰ５，３９４，５２０  Ｂ２の図２および段落００１９〜００２０に記載されている。
【００３２】
前記針ユニット２７は、注射を行う毎に取り外して廃棄される。
以下、針ユニット２７の取り外しおよび廃棄を行うための容器１の構造について説明する。
【００３３】
図１および図２に示すように、前記容器１は例えば円筒状の容器であり、図１の収容部１２と、内蓋１３および外蓋１４を含む蓋部１０とを備えている。
前記内蓋１３および外蓋１４は一体に成形され、内蓋１３と外蓋１４の間は薄肉部（ヒンジ）１５となっている。内蓋１３は、収容部１２の上部にネジで螺合しており、外蓋１４は、薄肉部１５を中心に回転可能となっている。
【００３４】
前記内蓋１３は、その上面にアタッチメント７が装着される開口（貫通口）１６を備えている。アタッチメント７は蓋部１０の一部を構成する。
【００３５】
前記薄肉部１５は容器１（図２）の背面側に設けられている。容器１内に収納された使用済の針ユニット２７の廃棄を行う場合には、図２のように、外蓋１４を正面側に向って回動させ、閉じた上で、容器１ごと多数の針ユニット２７を廃棄する。
【００３６】
図１において、前記容器は、前記針ユニット２７を収容する収容部１２と、前記収容部１２の上部に配置された蓋部１０とが図示しない雄ネジと雌ネジで互いに螺合していてもよいが、樹脂弾性で互いに固く嵌合する構造であってもよい。
【００３７】
図１の内蓋１３の一部を構成するアタッチメント７には、スライダ６を装着する装着部５が形成されている。前記装着部５はスライダ６が収まるように浅い凹所となっている。
【００３８】
図３において、本容器１は前記針ユニット２７を前記装着部５の円形状の挿入孔５０に挿入し、前記針ユニット２７の回転を規制した状態で前記本体ケース３０を回転させ、前記挿入孔５０に前記針ユニット２７を挿入したままの状態で前記針ユニット２７を前記本体ケース３０から分離するためのものである。
【００３９】
図１において、前記挿入孔５０は針ユニット２７を収容部１２内に向って挿入する孔で、前記蓋部１０に設けられた廃棄用の唯一の孔である。前記挿入孔５０は前記蓋部１０の一部として収容部１２に装着されたアタッチメント７に形成されている。図５、図７の符号１８はアタッチメント７の装着突起で、装着後にアタッチメント７が開口１６から離脱するのを防止する。なお、開口１６およびアタッチメント７を設けずに、蓋部１０に前記挿入孔や装着部を直接設けてもよい。
【００４０】
図４に示すように、前記スライダ６は挿入位置Ｐ１と閉塞位置Ｐ２との間を摺動自在に移動できるように、アタッチメント７の装着部５に装着されている。図３の前記挿入位置Ｐ１においては前記挿入孔５０が開放され前記針ユニット２７が前記挿入孔５０に挿入される。図４（ｂ）の閉塞位置Ｐ２においては、前記挿入孔５０（図３）を閉塞部６２が閉塞する。
【００４１】
図６において、前記挿入孔５０は軸線Ｓが上下に延びる半円環状の保持部５１で形成されている。前記保持部５１の内周面には前記ハブ２６（図３）の外周面に係合する複数の係合突起５２が設けられている。なお、前記係合突起５２の数は１つだけでもよい。
また、係合突起５２に代えて、保持部５１の内周面を粗面に仕上げてもよいし、返りを有する金属製の湾曲板を内周面に装着してもよい。
【００４２】
前記スライダ６には爪６１が設けられている。この爪６１は図５の前記挿入位置Ｐ１において前記保持部５１に向って、かつ、斜め下方に向って突出し、前記挿入位置Ｐ１において図７（ｂ）および図７（ｃ）のように前記保持部５１に前記ハブ２６を押し付ける。
【００４３】
図６において、前記保持部５１に向って突出する前記爪６１は、樹脂弾性により、前記ハブ２６（図７（ｂ））を前記保持部５１に押し付ける板バネ状に形成されている。図５および図７Ａのように、無負荷時における前記保持部５１に対する前記爪６１の先端の位置は前記ハブ２６が前記挿入孔５０から落下しないように設定されている。すなわち、図１０（ｃ）の爪６１の先端と保持部５１の係合突起５２との間にはハブ２６を押し込むことができるが、爪６１が変形していない無負荷の状態ではハブ２６が落下しないように設定されている。したがって、無負荷の状態において挿入孔５０から容器１内の針ユニット２７が飛び出るおそれはない。
【００４４】
図６において、前記スライダ６は前記閉塞部６２、貫通部６０およびガイダ６Ｇを有する。なお、貫通部６０は挿入孔５０よりも大きく、貫通孔でもよいが、Ｕ字状の切り欠きであってもよい。
【００４５】
図６において、前記アタッチメント７の装着部５には前記ガイダ６Ｇが嵌り込みスライダ６の摺動を案内する第１および第２溝Ｇ１，Ｇ２が形成されている。本例の場合、両溝Ｇ１，Ｇ２は装着部５を上下に貫通するスリット状の貫通溝である。
【００４６】
図６において、前記第１溝Ｇ１は前記挿入孔５０に連なると共に前記挿入孔５０の接線方向Ｔに延び前記挿入孔５０内に突出していた前記爪６１が前記挿入孔５０から退避するのを許容する。前記第２溝Ｇ２は前記第１溝Ｇ１に平行に延び前記第１溝Ｇ１と協働して前記スライダ６の摺動を案内する。
【００４７】
図５において、前記スライダ６には前記挿入位置Ｐ１において前記挿入孔５０が開いた状態となるようにする前記貫通部６０と、図４（ｂ）の前記閉塞位置Ｐ２において前記挿入孔５０が閉塞された状態となるようにする前記閉塞部６２とが設けられている。
【００４８】
本例の場合、図１０（ｄ）の４つの前記ガイダ６Ｇのうち、２つのガイダ６Ｇは当接部６３を構成する。この図１０（ｄ）に示すように、前記挿入位置Ｐ１において前記スライダ６の当接部６３は装着部５に当接する。
【００４９】
図３の前記挿入位置Ｐ１において、前記本体ケース３０から前記針ユニット２７を取り外すために前記本体ケース３０を回転させた際に、前記ハブ２６から前記爪６１に伝達される前記接線方向Ｔの力で前記スライダ６が前記挿入位置Ｐ１から移動しないように前記スライダ６の当接部６３が前記装着部５に当接した状態を維持するように設定されている。
【００５０】
つぎに、本容器１の用い方について説明する。
図２（ａ）に示すように、使用しない場合や携帯する場合、容器１の収容部１２は蓋部１０により閉塞されている。
【００５１】
図２の容器１を用いるには、まず、外蓋１４を開く。この時、スライダ６は閉塞位置Ｐ２に設定されている。この閉塞位置Ｐ２では閉塞部６２により挿入孔５０（図３）が閉じられている。また、スライダ６は装着部５の浅い装着部５に嵌っている。
【００５２】
ついで、スライダ６を開方向Ｔ１に押して図３（ａ）の挿入位置Ｐ１にスライド移動させる。この挿入位置Ｐ１においては、図６の当接部６３が第１溝Ｇ１または第２溝Ｇ２の端のアタッチメント７の部位に当接し、図３のスライダ６がそれ以上スライドしないようになっている。
【００５３】
図５の前記挿入位置Ｐ１において、スライダ６の爪６１はアタッチメント７の保持部５１や係合突起５２に向って、かつ、斜め下方に向って突出している。一方、スライダ６の貫通部６０は装着部５の挿入孔５０を開口させる。
【００５４】
図３の前記挿入位置Ｐ１において、針ユニット２７を図３（ｂ）のように挿入孔５０に挿入する。この時、図７（ａ）および（ｂ）に示すように、爪６１は樹脂弾性で若干弾性変形して開き、ハブ２６が挿入孔５０に挿入されるのを許容する。
【００５５】
図７（ｂ）の前記弾性変形した爪６１は、その反力で、前記ハブ２６を保持部５１の破線で示す係合突起５２（図７（ａ））に向って押す。これにより、前記ハブ２６は爪６１と係合突起５２との間で保持され、ハブ２６の外周面には係合突起５２が周方向に係合した状態となる。
【００５６】
前記挿入後、図３（ｂ）の矢印で示すように、本体ケース３０を離脱方向Ｄに回転させる。前述のように、図８（ｂ）のハブ２６の外周面には図８（ａ）の係合突起５２が係合しているので、ハブ２６は回転せずに、本体ケース３０のみが回転する。したがって、図４（ａ）のように、ハブ２６が保持部５１（図３）に保持され、本体ケース３０をハブ２６から取り外すことができる。
【００５７】
ここで、前記回転時に前記ハブ２６の表面から図７（ｂ）の爪６１には、図３（ｂ）の開方向Ｔ１に回転力が伝達され、そのため、スライダ６を開方向Ｔ１に移動させる力が作用する。
【００５８】
しかし、前述のように、挿入位置Ｐ１においては図６の当接部６３が第１溝Ｇ１および第２溝Ｇ２の端のアタッチメント７の部位に当接しており、スライダ６は移動しない。したがって、ロック機構を必要としない。
【００５９】
前記回転により、図４（ａ）の本体ケース３０の雄ネジ３１がハブ２６の雌ネジから外れた後、本体ケース３０を上方へ抜き取る。この抜き取り後、図４（ｂ）のように、スライダ６を閉方向Ｔ２に閉塞位置Ｐ２までスライドさせる。
【００６０】
ここで、図５の前記スライダ６を閉方向Ｔ２にスライドさせると、保持部５１に向って突出していた爪６１が保持部５１の下をくぐり抜け第１溝Ｇ１に沿ってスライダ６と共に閉方向Ｔ２に移動する。この爪６１の移動により、ハブ２６の保持が解除され、図４（ｂ）、図７（ｄ）および図８（ｄ）のように、針ユニット２７が収容部１２内に落下する。
【００６１】
図４（ｂ）の前記閉塞位置Ｐ２において、スライダ６は装着部５の端に当接すると共に、スライダ６の閉塞部６２が挿入孔５０（図３）を閉塞する。したがって、針ユニット２７を落下させた直後に、容器１が誤って倒れたりしても収容部１２内から針ユニット２７が飛び出ることはない。
なお、スライダ６の貫通部６０は装着部５により閉塞されている。
【００６２】
前記スライダ６の閉方向Ｔ２への移動後、図４（ｂ）の外蓋１４を回転させて図２（ａ）のように閉じる。すなわち、前記使用後は、図２の外蓋１４を内蓋１３に嵌着させる。収容部１２内に所定量以上の針ユニット２７が留まったら多数の針ユニット２７を容器１ごと医療廃棄物として廃棄する。
【００６３】
前記針ユニット２７は小さく前記収容部１２に多数本収容でき、医療廃棄物の廃棄効率が飛躍的に向上する。すなわち、収容部１２には針ユニット２７のみが収容され、針ケースは一般ごみとして廃棄できるので、１つの小さな容器１で多数本の針ユニット２７を廃棄することができる。
【００６４】
ところで、図３の挿入位置Ｐ１においてスライダ６が蓋部１０から突出してハミ出しているが、スライダ６は蓋部１０内に収まっていてもよい。その場合、アタッチメント７または内蓋１３に形成した浅い長方形状の凹所で装着部５を形成し、その凹所内にスライダ６が収まり、当該凹所内をスライド移動するようにしてもよい。
【００６５】
このような場合、挿入位置Ｐ１において、スライダ６の端部が凹所の一方の端に当接するようにして当接部（６３）が構成されてもよい。
【００６６】
また、第２溝Ｇ２は貫通溝でなくてもよいが、一般に有底の溝にするのは成形性を低下させるだろう。
【産業上の利用可能性】
【００６７】
本発明はペン型注射器の針ユニット２７の廃棄用容器として用いることができる。
【符号の説明】
【００６８】
１：容器  １０：蓋部  １２：収容部  １３：内蓋  １４：外蓋
１５：ヒンジ  １６：開口  １８：装着突起
２５：カヌラ  ２６：ハブ  ２７：針ユニット
３０：本体ケース  ３１：雄ネジ
５：装着部  ５０：挿入孔  ５１：保持部  ５２：係合突起
６：スライダ  ６Ｇ：ガイダ  ６０：貫通部  ６１：爪  ６２：閉塞部  ６３：当接部
７：アタッチメント
Ｄ：離脱方向  Ｓ：軸線  Ｔ：接線方向  Ｔ１：開方向  Ｔ２：閉方向
Ｐ１：挿入位置  Ｐ２：閉塞位置
Ｇ１：第１溝  Ｇ２：第２溝
【図１】
2019217178.tif 000003
【図２】
2019217178.tif 000004
【図３】
2019217178.tif 000005
【図４】
2019217178.tif 000006
【図５】
2019217178.tif 000007
【図６】
2019217178.tif 000008
【図７】
2019217178.tif 000009
【図８】
2019217178.tif 000010
【図９】
2019217178.tif 000011
【図１０】
2019217178.tif 000012